(57)【要約】【課題】筐体内に内蔵されるアンテナのアンテナ特性を大きく劣化させることなく、薄型化が可能な携帯無線機を提供する。【解決手段】絶縁材料からなるシート状体３１の一方の面側に備える複数のキー部材１０〜１２を筐体２の開口部２ｆより露出させるように筐体２内に配置すると共に、キー部材１０〜１２とシート状体３１との間に金属製のフレーム部材４１を備えたキーシート部材２９と、シート状体３１の他方の面側にキー部材１０〜１２に対向して配置されるキースイッチ２７と、シート状体３１の他方の面側であってキー部材１０〜１２に対向する筐体２内に配置されるアンテナ２３とを備えた携帯電話機Ｋであって、フレーム部材４１には、アンテナ２３と対向する部位に切り欠き部４３を形成し、シート状体３１の切り欠き部４３に対向する部位を厚肉に形成する。【選択図】図５
2008160534.tif 000002
【特許請求の範囲】
【請求項１】
開口部を有する筐体と、絶縁材料からなるシート状体の一方の面側に配置される複数のキー部材を前記筐体の開口部より露出させるように前記筐体内に配置すると共に、前記複数のキー部材と前記シート状体との間に金属材料からなるフレーム部材を備えたキーシート部材と、前記シート状体の他方の面側に対向して前記筐体内に配置されると共に、前記キー部材の押下により動作するキースイッチと、前記シート状体の他方の面側であって前記キー部材に対向する前記筐体内に配置されるアンテナとを有し、前記フレーム部材は、前記アンテナと対向する部位に切り欠き部を備えると共に、前記シート状体のうち前記切り欠き部に対向する部位が肉厚に形成されていることを特徴とする携帯無線機。
【発明の詳細な説明】
【技術分野】
【０００１】
本発明は、携帯電話機、無線機能を備えたＰＤＡ（Personal Digital Assistants）や携帯型パーソナルコンピュータ等の携帯無線機に関するものである。
【背景技術】
【０００２】
携帯電話機、無線機能を備えたＰＤＡ（Personal Digital Assistants）や携帯型パーソナルコンピュータ等の携帯無線機においては、入力部として複数のキーを備えたものがある。このようなキーは、通常、樹脂等の絶縁材料によって形成されたキーシート部材の一方の面側に配置されたキー部材が、携帯無線機の筐体に形成された開口部から外部に向けて露出されることによって構成されている。そして、筐体の内部には、キー部材の押下によって動作されるキースイッチが配置されており、操作者がキー部材を押下することによってキースイッチが動作するようになっている（例えば、特許文献１参照）。
【０００３】
ところで、このようなキーを備える携帯無線機においては、キー部材に対して、操作者が意図的にキー部材を引っ張り出す行為や落下衝撃等によって外力が加わる場合がある。このような外力が加わった場合には、キーシート部材が撓む等の原因により、キー部材が浮いてくる恐れがあるため、携帯無線機ではその対策を行う必要がある。特に、異なるキー部材同士が隣接して配置され、異なるキー部材同士の間に枠部等が存在しない、いわゆるフレームレスキー構造を採用する携帯無線機では、強度の高い筐体によるキーシート部材の支持力が弱くキー部材が浮き易く、所定の配置位置に対してずれた状態となってしまう恐れが高い。
【０００４】
このため、従来の携帯無線機においては、キーシート部材に対して強度が高く変形し難い樹脂製のフレーム部材を一体的に配置することによって構成されるベース部に、上述のキー部材を配置している。このようなベース部は、キーシート部材単体よりも強度が高いため、外力が加わった場合であっても、キー部材が浮いてくることを防止することができる。
【０００５】
一方、携帯無線機は、アンテナを筐体内部から外部へ引き伸ばす構造となっており、若干のスペースは必要とするものの、アンテナ主要部は外部へ露出していることから、内部部品によるそのアンテナへの影響は少なく、従って、逆にアンテナによる筐体内部への制約的影響もそれほど存在しなかった。
【０００６】
ところが、近年、携帯無線機の小型化や携帯性の向上を目的として、内蔵アンテナが多く使われるようになってきている。例えば、特許文献２においては、内蔵アンテナであるチップアンテナをフレキシブル基板に設け、さらにこのフレキシブル基板をシールドケースに固定したものが開示されている。
【特許文献１】特開２００３−２８３１７６号公報
【特許文献２】特開２０００−１３４０２０号公報
【発明の開示】
【発明が解決しようとする課題】
【０００７】
しかしながら、ベース部に樹脂製のフレーム部材を用いた場合、ベース部の強度を十分に高めようとするとその厚みを厚くする必要があり、ベース部自体の厚みが厚くなってしまう。このため、特に薄型化が要望される携帯電話機等の携帯無線機においては、フレーム部材の厚みが機器の薄型化を妨げる原因となってしまう。
【０００８】
しかも、樹脂製のフレーム部材を用いたとしても反り等の変形が生じる場合があり、樹脂製のフレーム部材を有するベース部を用いた場合であっても、キー部材が浮いてしまう恐れがあった。
【０００９】
また、従来の携帯無線機にあっては、アンテナを内蔵することに伴い、このアンテナ周辺に金属の他部材がある場合は、その他部材の金属によりアンテナの無線通信機能が阻害され、また、このことを避けることができるような位置にアンテナを内蔵しようとすると通信機器が大型化するので、筐体内にアンテナの配置スペースを確保することが容易ではないという問題があった。
【００１０】
本発明は、上述する課題に鑑みてなされたもので、筐体内に内蔵されるアンテナのアンテナ特性を大きく劣化させることなく、薄型化が可能な携帯無線機を提供することにある。
【課題を解決するための手段】
【００１１】
即ち、本発明の携帯無線機は、開口部を有する筐体と、絶縁材料からなるシート状体の一方の面側に配置されるキー部材を前記筐体の開口部より露出させるように前記筐体内に配置すると共に、前記キー部材と前記シート状体との間に導電性を有するフレーム部材を備えたキーシート部材と、前記シート状体の他方の面側に対向して前記筐体内に配置されると共に、前記キー部材の押下により動作するキースイッチと、前記シート状体の他方の面側であって前記キー部材と対向する前記筐体内に配置されるアンテナとを有し、前記フレーム部材は、前記アンテナと対向する部位に切り欠き部を備えると共に、前記シート状体のうち前記切り欠き部に対向する部位が肉厚に形成されていることを特徴とする。
【発明の効果】
【００１２】
本発明によれば、筐体内に内蔵されるアンテナのアンテナ特性を大きく劣化させることなく、薄型化が可能な携帯無線機を提供することができる。
【発明を実施するための最良の形態】
【００１３】
図１から図５は本発明に係る一実施形態を示しており、ここで説明する実施の形態は、この発明を携帯電話機に適用した場合のものである。
【００１４】
図１に示すように、この実施の形態に係る携帯電話機（携帯無線機）Ｋは、略矩形板状をした第１の筐体１と、この第１の筐体１の厚さ方向に重ね合わせ可能な略矩形板状をした第２の筐体２と、これら２つの筐体１，２を相互に折り畳み自在に連結するヒンジ部３とを備えている。なお、ヒンジ部３は、２つの筐体１，２の各基端部１ａ，２ａ同士を連結するように配されている。
【００１５】
第２の筐体２の内部には、各種情報を表示する表示面を有するＬＣＤ（Liquid Crystal Display）、有機ＥＬ（Electro Luminescence）ディスプレイ、無機ＥＬディスプレイ等の表示部４及び通話用のスピーカ部５が設けられている。表示部４の表示面は、２つの筐体１，２を相互に重ね合わせた状態において第２の筐体２に対向する第１の筐体１の対向面１ｃ側に露出している。
【００１６】
スピーカ部５は、基端部１ａとは反対側に位置する第１の筐体１の先端部１ｂに配されており、第１の筐体１の対向面１ｃから第１の筐体１の内部空間に貫通する孔１ｄを介して外方に露出している。
【００１７】
第２の筐体２の内部には、テンキー、カーソルキー、通話キーや終話キー等のファンクションキー等の各種押下操作可能な複数のキー部材１０〜１４を備えたキー操作部１５及び通話用のマイクロフォン部６が設けられている。キー操作部１５の各キー部材１０〜１４は、２つの筐体１，２を相互に重ね合わせた状態において第１の筐体１に対向する第２の筐体２の対向面２ｃに形成された開口部１２から外方に露出している。
【００１８】
マイクロフォン部６は、基端部２ａとは反対側に位置する第２の筐体２の先端部２ｂに配されており、第２の筐体２の対向面２ｃから第２の筐体２の内部空間に貫通する孔２ｄを介して外方に露出している。
【００１９】
この第２の筐体２は、第１の筐体１との対向面２ｃ側を構成するフロントケース１７、及び第２の筐体２の外面（対向面２ｃと反対側の面）側を構成するリアケース１９を備えている。これらフロントケース１７及びリアケース１９は、互いに第２の筐体２の厚さ方向に結合可能となっている。
【００２０】
この第２の筐体２の内部には、図２に示すように、リアケース１９の内面側から、バッテリー２２、電子部品を実装した回路基板２４、一部が樹脂パーツによって形成された導電性を有するシールドケース２５、前述したキー操作部１５を構成するキースイッチ２７を備えたキー基板２８及び複数のキー部材１０〜１４を備えたキーシート部材２９が重ねて配され、キーシート部材２９の複数のキー部材群がフロントケース１７に形成された開口部２ｆより外方に露出するようになっている。
【００２１】
また、第２の筐体２内部の先端部２ｂ側には、無線通信用の第１のアンテナ２１が収容され、また、回路基板２４上には第１のアンテナ２１との間でダイバーシティを構成する第２のアンテナ２３が実装されている。第１アンテナ２１は、その放射素子が、回路基板２４、シールドケース２５及びキー基板２８に重ならないように配され、また、第２のアンテナ２３は、複数のキー部材１０〜１４のうち１乃至複数のキー部材と対向する位置に配されている（図４参照）。
【００２２】
ここで、キーシート部材２９は、図３に示すように、樹脂やゴム等の弾力性を有する絶縁材料からなるシート状体３１と、該シート状体３１の一方の面側に設けられる複数のキー部材１０〜１４と、各キー部材１０〜１４とシート状体３１との間に配される、金属材料からなるフレーム部材４１とを含んで構成されている。
【００２３】
シート状体３１は、その一方の面側が一段さがった第１平面３２と、該第１平面３２より複数のキー部材１０〜１２が配される位置より突出する複数の突出部３３を有すると共に、他方の面側が一段さがった第２平面３４と、該第２平面３４のうち複数の突出部３３と対向する部位より突出し、キー部材１０〜１２の押下によりキースイッチ２７を押す複数の押子（不図示）を有している。
【００２４】
フレーム部材４１は、例えば、ステンレスやチタン等の軽くて強度の高い金属材料により形成することが好ましく、前記突出部３３が挿通される複数の開口４２を備えた板状体をしたもので、このフレーム部材４１をシート状体３１の第１平面３２に載置したときには、突出部３３がフレーム部材４１より若干突出するような厚みに形成されている。
【００２５】
キー部材１０〜１４は、樹脂やプラスチック等の絶縁材料からなり、フレーム部材４１をシート状体３１に載置したあと、突出部３３の頂面に熱圧着等により貼設することでキーシート部材２９を構成するようになっており、これによりキー部材１０ａ〜１０ｅ，１１ａ〜１１ｅ，１２ａ〜１２ｅ同士が隣接して配置されるフレームレスキー構造を有している。このため、第２の筐体２を形成するフロントケース１７には、各キー部材１０ａ〜１０ｅ，１１ａ〜１１ｅ，１２ａ〜１２ｅをそれぞれ仕切る枠を備えておらず、複数のキー部材群を囲む開口部２ｆを有している。
【００２６】
このとき、フレーム部材４１は、シート状体３１と、開口４２よりも大きな面積を有する各キー部材１０ａ〜１０ｅ，１１ａ〜１１ｅ，１２ａ〜１２ｅとの間に配置されることになるため、キー部材１０ａ〜１０ｅ，１１ａ〜１１ｅ，１２ａ〜１２ｅのいずれかが押下されたとしても金属材料からなるフレーム部材４１が外れるようなことはなく、押圧に対する適度な反力を発生させることができる。
【００２７】
そして、このフレーム部材４１を備えるキーシート部材２９は、図２に示すように、第２筐体２内部のシールドケース２５上にキー基板２８を介して配置される。これによりキーシート部材２９に配置されたキー部材１０ａ〜１０ｅ，１１ａ〜１１ｅ，１２ａ〜１２ｅが第２筐体２の開口部２ｆにおいて露出されるように第２筐体２の内部にキーシート部材２９が支持される。
【００２８】
このように、フレーム部材４１をキー部材１０ａ〜１０ｅ，１１ａ〜１１ｅ，１２ａ〜１２ｅとシート状体３１との間に配置すれば、従来の携帯電話機（携帯無線機）においてベース部の強度を向上させるために用いられていた樹脂フレーム部材と比較して、薄くても高い強度を発揮することができる。したがって、本実施形態の携帯電話機Ｋによれば、キーシート部材２９の強度を低下させることなくその厚みを薄くすることができ、携帯電話機Ｋの薄型化を図ることが可能となる。また、金属材料からなるフレーム部材４１は樹脂製のフレーム部材と比較して熱等による変形が生じ難いために反り等を生じることもない。
【００２９】
第２のアンテナ２３は、図４に示すように、複数のキー部材１０〜１２のうち１又は複数のキー部材と対向する位置に配され、フレーム部材４１と第２のアンテナ２３とが第２の筐体２の厚み方向において重なるように配置されることになるが、本発明では、フレーム部材４１のうち第２のアンテナ２３と対向する部位には切り欠き部４３を設けてあり、フレーム部材４１が第２のアンテナ２３と第２の筐体２の厚み方向において重ならないように構成してある。その為、第２のアンテナ３の近くに導体が配置されることによるアンテナ特性の劣化を低減するようになっている。
【００３０】
一方、シート状体３１の第１平面３２のうち、フレーム部材４１を載置した際に切り欠き部４３に対応する部位は、他部部位よりも厚肉となるように第２平面３４より突出する凸部３６を形成してある。このように、フレーム部材４１の切り欠き部４３に対応するシート状体３１を厚肉に形成することで、その部位での変形量を小さくすることができる。このため、フレーム部材４１が設けられていないキー部材１０ｄ，１０ｅを押下した際のクリック感が、フレーム部材４１が設けられている他のキー部材１０ａ〜１０ｃ，１１ａ〜１１ｅ，１２ａ〜１２ｅを押下した際のクリック感と大きく異なることを防ぎ、どのキー部材１０ａ〜１０ｃ，１１ａ〜１１ｅ，１２ａ〜１２ｅを押しても同等のクリック感を得ることができる。
【００３１】
また、図３に示すように、フレーム部材４１の一端側には２つの延出部４６ａ，４６ｂを有すると共に、フレーム部材４１の他端側には一つの延出部４６ｃを有し、各延出部４６ａ〜４６ｃには穴４７ａ〜４７ｃが形成されている。また、延出部４６ｃには、さらに外方へ延びるバネ性を持ったバネ端子４７を有している。
【００３２】
一方、シート状体３１は、延出部４７ｃを支持するように延出部下面まで形成されており、バネ端子４７と対向する部位だけ切り欠いた構成となっている。また、フレーム部材４１をシート状体３１上に載置したとき、フレーム部材４１の各延出部４６ａ〜４６ｃに形成された穴４７ａ〜４７ｃと対向する位置には突起３７ａ〜３７ｃを有し、この突起３７ａ〜３７ｃが前記穴４７ａ〜４７ｃ内に挿入されることによりフレーム部材４１がシート状体３１上の所定位置に位置決めされるようになっている。
【００３３】
このように、バネ端子４７が形成される延出部４７ｃ下面までシート状体３１を形成することにより、組み立て作業中に作業者が誤って金属材料からなるフレーム部材４１をぶつけてしまい延出部４６Ｃやバネ端子４７を破損させてしまうといった恐れを防止することができる。また、バネ端子４７と対向する部位には切り欠きを設けてあり、バネ端子４７の破損も防止できる。その為、キーシート部材２９をキー基板２８を介してシールドケース２５上に載せれば、バネ端子４７をシールドケース２５に付勢させることができるため、確実に導通を図ることができる。
【００３４】
その為、外方から開口部２ｆに侵入する静電気等をフレーム部材４１を介して逃がすことができるため、第２の筐体２内に備える電子部品等に対する静電対策を施すことができる。
【００３５】
以上、本発明の実施形態について図面を参照して詳説したが、具体的な構成は、上記実施形態に限定されるものではなく、本発明の要旨を逸脱しない範囲において設計変更等が可能である。
【００３６】
例えば、上記実施形態においては、本発明の携帯無線機の一例として、携帯電話機を挙げて説明した。しかしながら、本発明は、携帯電話機に限定されるものではなく、押すためのキーを複数備える携帯無線機であって薄型化が要求されるものに対して適用することが可能である。
【００３７】
また、上記実施形態の携帯電話機は折り畳み型のものであったが、本発明はヒンジ部３を備えないストレート型の携帯電話機にも適用可能である。
【図面の簡単な説明】
【００３８】
【図１】本発明の携帯電話機を示す正面図である。
【図２】本発明の携帯電話機を構成する第２の筐体を示す断面図である。
【図３】本発明の携帯電話機に備えるキーシート部材を示す分解斜視図である。
【図４】本発明の携帯電話機に備えるキーシート部材と第２のアンテナとの関係を示す平面図である。
【図５】シート状体に備える凸部を示すキーシート部材とその要部を示す図である。
【符号の説明】
【００３９】
１：第１筐体、２：第２筐体、２ｆ：開口部、３：ヒンジ部、１０〜１２：キー部材、２３：第２のアンテナ、２７：キースイッチ、３１：シート状体、３６：凸部、４１：フレーム部材、４３：切り欠き部
【図１】
2008160534.tif 000003
【図２】
2008160534.tif 000004
【図３】
2008160534.tif 000005
【図４】
2008160534.tif 000006
【図５】
2008160534.tif 000007